(57)【特許請求の範囲】
【請求項１】
クエン酸、クエン酸のアルカリ金属塩、Ｄ−リモネン０．１〜５質量％、アルキル基またはアルケニル基の炭素数が１２〜２２のポリオキシエチレンアルキルまたはアルケニルエーテル０．０５〜０．９質量％、およびアルキル基またはアルケニル基の炭素数が４〜１１のポリオキシエチレンアルキルまたはアルケニルエーテル１〜１０質量％を含み、ｐＨが３〜８であることを特徴とする産業廃棄物用液体消臭剤組成物。
【請求項２】
前記クエン酸の含有量が１〜２０質量％、前記クエン酸のアルカリ金属塩の含有量が１〜１５質量％、および前記Ｄ−リモネンの含有量が０．２〜５質量％である請求項１記載の産業廃棄物用液体消臭剤組成物。
【発明の詳細な説明】
【０００１】
【発明の属する技術分野】
本発明は、農業、畜産業、水産業、各種工業から排出される各種産業廃棄物および堆積物、これらが天日や雨水等により変化または腐敗した劣化物およびこれらから排出される排水、ならびに下水道、し尿処理場等の処理場、工事現場で発生する浚渫土、ヘドロ、汚泥、残土等から発生するアンモニアやトリエチルアミン等のＮ系悪臭と、硫化水素やメチルメルカプタン等のＳ系悪臭の両方の消臭に好適で、かつ人体に対する安全性が高い上、環境負荷の少ない産業廃棄物用液体消臭剤組成物に関する。
【０００２】
【従来の技術】
従来から、農業、畜産業、水産業、各種工業から排出される各種産業廃棄物および堆積物、これらが天日や雨水等により変化または腐敗した劣化物およびこれらから排出される排水、ならびに下水道、し尿処理場等の処理場、工事現場で発生する浚渫土、ヘドロ、汚泥、残土等から発生する各種の悪臭は、現場の作業員に不快感を与えて作業効率等の低下を生じさせるだけでなく、作業現場周辺の住民にも多大な不快感を与えるとともに、住環境を悪化させることとなっていた。
【０００３】
現在までのところ、上述のような悪臭防止対策としては、上記産業廃棄物を焼却処理、埋め立て処理をしたり、シート等で覆う手段が一般的であり、特に、排水やし尿処理の場合、貯槽等の処理設備を密閉系として外部に漏洩しないようにする、香料単品を散布してマスキングする等の方法がとられている。
【０００４】
【発明が解決しようとする課題】
しかしながら、上記対策は、大型設備をともなう産業廃棄物処理場や、悪臭発生源が広範囲にわたる現場等においては十分に満足し得る効果が得られる方法とはなり得ていない。
しかも、最近は、社会的に環境汚染問題、リサイクルの推進、およびこれらの措置を促進させる法的整備が進められてきており、消臭対策としても、速効性および持続性があるとともに、人体に対する安全性が高く、かつ、環境負荷の小さい消臭剤の必要性が高まりつつある。
【０００５】
本発明は、このような事情に鑑みてなされたものであり、産業廃棄物を処理する際に発生するＮ系およびＳ系の両臭気に対して極めて優れた消臭効果を発揮し得るとともに、種々の現場にて容易に噴霧できる、人体に対する安全性が高く、かつ、環境負荷の小さい産業廃棄物用液体消臭剤組成物を提供することを目的とする。
【０００６】
【課題を解決するための手段および発明の実施の形態】
本発明者らは、上記目的を達成するために鋭意検討を行った結果、クエン酸、クエン酸のアルカリ金属塩、Ｄ−リモネン、および所定のアルキルまたはアルケニルエーテルを含有し、ｐＨ３〜８の組成物が、Ｎ系およびＳ系の悪臭に対して優れた消臭効果を発揮するだけでなく、人体に対する安全性に優れ、環境に与える影響が少ないことを見いだし、本発明を完成した。
【０００７】
すなわち、本発明は、
１．クエン酸、クエン酸のアルカリ金属塩、Ｄ−リモネン０．１〜５質量％、アルキル基またはアルケニル基の炭素数が１２〜２２のポリオキシエチレンアルキルまたはアルケニルエーテル０．０５〜０．９質量％、およびアルキル基またはアルケニル基の炭素数が４〜１１のポリオキシエチレンアルキルまたはアルケニルエーテル１〜１０質量％を含み、ｐＨが３〜８であることを特徴とする産業廃棄物用液体消臭剤組成物、
２．前記クエン酸の含有量が１〜２０質量％、前記クエン酸のアルカリ金属塩の含有量が１〜１５質量％、および前記Ｄ−リモネンの含有量が０．２〜５質量％である１の産業廃棄物用液体消臭剤組成物
を提供する。
【０００８】
以下、本発明についてさらに詳しく説明する。
上記クエン酸の組成物中における含有量は、特に限定されるものではないが、１〜２０質量％が好ましく、特に２〜１５質量％が好適である。ここで、含有量が１質量％未満の場合、Ｎ系の臭気に対する消臭効果が不十分になる虞があり、一方、２０質量％を超えると、ｐＨが低くなりすぎ、人体に対して悪影響を及ぼす虞があるとともに、環境負荷が大きくなる虞がある。
【０００９】
また、クエン酸のアルカリ金属塩としては、例えば、クエン酸のナトリウム塩、カリウム塩等を用いることができる。
このようなクエン酸のアルカリ金属塩は、組成物のｐＨ調整および金属イオン封鎖剤として作用する。すなわち、上記クエン酸のみでは、組成物のｐＨが低下し、強酸性となる可能性が高く、人体への刺激や、環境保護上問題が生じるため、クエン酸のアルカリ金属塩を併用することで、ｐＨ緩衝効果により組成物のｐＨを所定範囲に調整することが可能となる。また、希釈する水の硬度が高い場合に、該金属塩により金属イオンによる影響を封鎖することで、クエン酸が水不溶性の塩を形成して生じる中和能の低減を防止することができる。
上記アルカリ金属塩の組成物中における含有量は、特に限定されるものではないが、１〜１５質量％が好ましく、特に２〜１０質量％が好適である。ここで、含有量が１質量％未満の場合、該金属塩を添加する効果、すなわち、緩衝作用および金属イオン封鎖作用が十分に発揮されない虞があり、一方、１５質量％を超えると、組成物の安定性が悪くなる虞がある。
【００１０】
上記Ｄ−リモネンの組成物中における含有量は０．１〜５質量％が好ましく、特に、０．２〜１質量％が好適である。ここで、含有量が０．１質量％よりも少ないと、Ｓ系臭気の消臭効果が不十分となる虞があり、一方、５質量％を超えると、組成物自体の臭気が強くなり、逆効果となる虞がある。
【００１１】
上記ポリオキシエチレンアルキレンまたはアルケニルエーテルは、Ｄ−リモネンの可溶化および浸透剤として作用するものである。特に、産業廃棄物が固形物や親油性の高い液状物の場合、消臭基材であるクエン酸およびＤ−リモネンが、廃棄物に均一に付着、浸透するために必要な成分である。
本発明の液体消臭剤組成物では、上記のようにアルキル基またはアルケニル基の炭素数が１２〜２２のポリオキシエチレンアルキルまたはアルケニルエーテル０．０５〜０．９質量％、およびアルキル基またはアルケニル基の炭素数が４〜１１のポリオキシエチレンアルキルまたはアルケニルエーテル１〜１０質量％を併用する。
【００１２】
すなわち、環境負荷が大きく、１質量％以上含有している場合にＰＲＴＲ法（化学物質管理促進法）の規制対象となる炭素数が１２〜２２のポリオキシエチレンアルキル（アルケニル）エーテル、および環境負荷が比較的小さいためＰＲＴＲ法の規制対象とはならない炭素数４〜１１のポリオキシエチレンアルキル（アルケニル）エーテルを、上記割合で併用することで、環境負荷を抑制しつつ、Ｄ−リモネンの可溶化、浸透化作用を極めて有効に発揮させることができる。
【００１３】
ここで、アルキル基またはアルケニル基の炭素数が１２〜２２のポリオキシエチレンアルキルまたはアルケニルエーテルの組成物中における含有量が０．０５質量％未満であると、Ｄ−リモネンの可溶化が困難となり、一方、０．９質量％を超えると、環境負荷が大きくなるとともに、特に、１．０質量％を超えた場合には、ＰＲＴＲ法（化学物質管理促進法）の規制対象となり、環境への排出量および廃棄物に含まれて移動する量を国に届け出る必要が生じる。炭素数１２〜２２のポリオキシエチレンアルキル（アルケニル）エーテルのより好ましい含有量は、０．２〜０．９質量％である。
また、この場合、オキシエチレンの付加モル数は、８〜２０モル、特に８〜１５モルであることが好ましい。
【００１４】
一方、アルキル基またはアルケニル基の炭素数が４〜１１のポリオキシエチレンアルキルまたはアルケニルエーテルの組成物中における含有量が１質量％未満であると、上記同様Ｄ−リモネンの可溶化が困難になり、一方、１０質量％よりも多いと、環境に与える影響が大きくなる。炭素数４〜１１のポリオキシエチレンアルキル（アルケニル）エーテルのより好ましい含有量は、２〜５質量％である。
また、この場合、オキシエチレンの付加モル数は、４〜１５モル、特に８〜１２モルであることが好ましい。
【００１５】
本発明の組成物のｐＨは、上記のように３〜８の範囲であり、ｐＨが３未満の場合、酸性が強すぎて人体に対する安全性が低い、環境負荷が大きい、腐食性が高い等の点で好ましくなく、一方、ｐＨが８を超えると、Ｎ系臭気に対する消臭効果が不十分となる可能性が高い。より好ましいｐＨは４〜６の範囲である。
【００１６】
以上のような成分を含んで構成される本発明の液体消臭剤組成物は、各構成成分を所定量配合し、混合撹拌することで、均一透明な液体として調製することができる。
そして、得られた均一透明液体系の組成物の使用方法としては、特に制限されるものではなく、消臭対象となる産業廃棄物の形態等に応じて好適な使用方法を選択すればよい。
【００１７】
例えば、産業廃棄物が固体の場合、本発明の組成物を原液で、または適宜希釈してスプレー等にて噴霧または散布する方法を用いることができる。この場合、希釈方法としては、配合槽を利用したバッチ式、またはプランジャーポンプ等を利用した連続式のどちらを採用してもよい。
また、産業廃棄物が液体の場合、本発明の組成物を原液で、または適宜希釈して直接廃棄物に添加する方法を用いることができる。
【００１８】
なお、本発明の液体消臭剤組成物は、作業現場等で仮設されるトイレ等の便器等に流す水に配合して消臭する消臭剤として用いても効果は高い。また、かかる用途に用いる消臭剤としては、硫酸亜鉛１０質量％、イソトリデシルアルコールのエトキシレート１２モル付加体０．５質量％および香料０．０５質量％を含んでなる均一透明液体の消臭剤組成物も好適に用いることができる。
【００１９】
【実施例】
以下、実施例および比較例を挙げて、本発明をより具体的に説明するが、本発明は、下記の実施例に限定されるものではない。
【００２０】
［１］モデル臭気での評価
［実施例１，２、比較例１〜４］
表１に示される成分をビーカー内で同表の割合で配合し、これを２５℃に調整後、マグネティックスターラーを用いて液が均一透明になるまで撹拌を行い、産業廃棄物用液体消臭剤組成物を得た。
なお、表１に示される非イオン活性剤Ａ（炭素数１２〜２２のポリオキシエチレンアルキルエーテル）としては、イソトリデシルアルコールエトキシレート１２モル付加体（レオコールＴＤ−１２０、ライオン（株）製）を、非イオン活性剤Ｂ（炭素数４〜１１のポリオキシエチレンアルキルエーテル）としては、２−エチルヘキシルアルコールエトキシレート８モル付加体（ニューコール１００８、日本乳化剤（株）製）を使用した。
【００２１】
【表１】
0003846561.tif 000002
【００２２】
上記各実施例および比較例で得られた液体消臭剤組成物について、性状（ｐＨ、外観）、消臭効果を測定、評価し、それらの結果を表２に示した。
なお、各項目は、以下の手法により測定、評価した。
［１］ｐＨ
２５℃における組成物原液のｐＨを、ＪＩＳ  Ｚ−８８０２に準拠した方法により測定した。
［２］外観
２５℃で１時間撹拌を続けた際の組成物の透明度を目視で観察した。
○：均一透明液体
×：白濁分離
【００２３】
［３］消臭効果
モデル臭気として代表的な腐敗臭であるアンモニアおよび硫化水素を選定し、以下の基準にしたがって測定した。
（１）５００ｍＬの密閉系のプラスチック製容器に０．１％アンモニア水、または０．０２％の硫化水素水溶液を１ｍＬ添加したものをそれぞれ用意し、室温で約６０分間静置した。
（２）上記各プラスチック製容器に各実施例および比較例で調製した液体消臭剤組成物を１ｍＬ添加し、３０分後に容器のヘッドスペース内に残存しているガス濃度を測定した。ガス濃度は、吸引式ガス検知管を用いて測定し、下記式により消臭率を算出した。なお、アンモニア、硫化水素の初期濃度は、それぞれ１５０ｐｐｍであった。
消臭率（％）＝１００−１００×（組成物添加後ガス濃度）／（初期濃度）
【００２４】
【表２】
0003846561.tif 000003
【００２５】
表２に示されるように、実施例１，２の液体消臭剤用組成物は、比較例に比べ、アンモニアおよび硫化水素の両腐敗臭に対して、優れた消臭効果を発揮していることがわかる。
【００２６】
［２］実臭気での評価
［実施例３］
管理型産業廃棄物最終処分場から排出される浸出水（有機性廃汚泥に雨水が浸み込んで貯まった廃水）１ｍ3当たり、上記実施例１の組成物の原液の１０倍水希釈品を約１００Ｌ散布し、約１時間後にアンモニアおよび硫化水素濃度を測定したところ、表３に示されるように、発生する臭気に対して優れた消臭効果を示し、快適な作業環境を提供することができた。
【００２７】
【表３】
0003846561.tif 000004
【００２８】
【発明の効果】
以上述べたように、本発明によれば、クエン酸、クエン酸のアルカリ金属塩、Ｄ−リモネン、アルキル基またはアルケニル基の炭素数が１２〜２２のポリオキシエチレンアルキルまたはアルケニルエーテル、およびアルキル基またはアルケニル基の炭素数が４〜１１のポリオキシエチレンアルキルまたはアルケニルエーテル、ｐＨが３〜８である組成物であるから、人体、環境に対して安全性が高く、また、塩濃度が高くてもＤ−リモネンを均一に可溶化させることができるとともに、Ｎ系およびＳ系の両方の臭気に対して、極めて高い消臭効果を発揮し得、長期に亘って分離することのない安定な液体消臭剤組成物を提供することができる。
したがって、作業現場の作業員や周辺住民の不快感を和らげ、作業効率の向上を図ることができるとともに、快適な環境を提供することができる。